(57)【要約】【課題】  着信を通知するインジケータ等の内容や通知音等により、着信内容の重要性や緊急度等を判断することができる携帯端末を提供することを目的とする。【解決手段】  携帯端末１０１は、制御回路４により、キーワード記憶部３ｂに記憶する通知判断情報としてのキーワード等に基づいて通信回路１により着信した着信情報から重要度及び緊急度等を判断し、着信通知回路２により、重要度及び緊急度の合計数値を優先度として優先順位の高い情報を着信した場合には、通常の通知とは異なる通知手段や通知パターンで通知する。【選択図】        図１
2008227816.tif 000002
【特許請求の範囲】
【請求項１】
無線通信網に接続する通信手段と、
この通信手段による着信の通知を行う着信通知手段と、
この着信通知手段による通知の際にこの通知の優先度を判断するための通知判断情報を記憶する記憶手段と、
この記憶手段に記憶された前記通知判断情報に基づいて前記着信通知手段の通知態様を制御する通知制御手段とを備える携帯端末。
【請求項２】
着信情報は、メール通信情報であり、通知制御手段が、メール通信着信時に記憶手段に記憶されるメール通信情報に基づいて着信情報の優先度を判断することを特徴とする請求項１に記載の携帯端末。
【請求項３】
メール通信情報は、発信者のアドレス、発信者名、タイトル、メール本文を含むことを特徴とする請求項２に記載の携帯端末。
【請求項４】
着信情報は、音声通話情報であり、通知制御手段が、音声通話着信時に記憶手段に記憶される音声通話情報に基づいて着信情報の優先度を判断することを特徴とする請求項１に記載の携帯端末。
【請求項５】
音声通話情報は、発信者の電話番号、発信者名を含むことを特徴とする請求項４に記載の携帯端末。
【請求項６】
通知判断情報は、所定のキーワードとこのキーワードに対応する優先度及び着信通知手段の種類とを含むことを特徴とする請求項１乃至請求項５のいずれかに記載の携帯端末。
【請求項７】
通知制御手段は、自端末の動作状態を検出し、通知判断情報に基づいて前記動作状態に応じた着信通知手段の通知態様を制御することを特徴とする請求項１乃至請求項６のいずれかに記載の携帯端末。
【請求項８】
通知態様が、音による通知であることを特徴とする請求項７に記載の携帯端末。
【請求項９】
動作状態は、着信の待ち受け状態、通話状態から成る状態と、通常モード、マナーモード、ドライブモード、ユーザが予め設定するユーザ設定モードからなる通知モードとの組み合わせによって定義されることを特徴とする請求項７又は請求項８に記載の携帯端末。
【請求項１０】
着信通知手段は、スピーカ、発光部、表示部、バイブレータの少なくとも１つを備えることを特徴とする請求項１乃至請求項９のいずれかに記載の携帯端末。
【請求項１１】
着信通知手段として、発光部または表示部を備えた入力部を設けたことを特徴とする請求項１０に記載の携帯端末。
【請求項１２】
入力部は、イルミネーション機能を備えたキー入力部であることを特徴とする請求項１１に記載の携帯端末。
【請求項１３】
入力部は、キーの表示とレイアウトが変更可能であることを特徴とする請求項１１に記載の携帯端末。
【請求項１４】
入力部は、タッチパネルからなることを特徴とする請求項１２に記載の携帯端末。
【発明の詳細な説明】
【技術分野】
【０００１】
本発明は、着信時に各種の通知手段を備えた携帯電話等の携帯端末に関し、特に着信内容に応じた通知手段で通知する携帯端末に関するものである。
【０００２】
図７は、特許文献１に記載された従来の携帯端末の回路構成を示す回路ブロック図である。図７において、通信手段である通信回路１と、携帯端末の状態や情報などを表示する表示回路５と、着信状態を通知する着信通知回路７と、メモリダイヤルなどを記憶している記憶回路８は、これらを制御する制御回路９に接続されている。
【０００３】
着信時には、制御回路９は通信回路１から発信者の番号を取得する。次に、制御回路９は記憶回路８に記憶されているメモリダイヤルを参照して、発信者ごとに関連付けられた着信パターンなどを取得し、着信通知回路７を制御して、発信者番号に応じた点灯パターンで着信インジケータを点灯させるなどの着信通知動作を行う。
【０００４】
【特許文献１】特開２００１−５３８３９号公報（０００９〜００１７段、図１）
【発明の開示】
【発明が解決しようとする課題】
【０００５】
しかしながら、上記従来の携帯端末では、着信時に予め登録してある各発信者番号やメールアドレスに応じて、異なる点灯パターンで着信インジケータを点灯したり、異なるメロディ音等を出すことにより、発信者を識別することは可能であるが、その着信の重要性や緊急度については識別することができず、通話もしくはメール本文を確認するまで認識できないという問題があった。
【０００６】
また、マナーモード設定時には、通常音による通知を行わないように設定されているため、非常に重要な通知であっても、対応が遅れてしまうという問題があった。特に、打ち合わせ中や電車内など携帯端末の操作を行いにくい状況においては、重要性や緊急度の高いメールや電話の着信であったとしても、それを識別できないために、迅速に連絡を取ることができないという問題があった。
【０００７】
本発明は、上記のような問題を解消するためになされたものであり、着信を通知するインジケータ等の内容や通知音等により、着信内容の重要性や緊急度等を判断することができる携帯端末を提供することを目的とする。
【課題を解決するための手段】
【０００８】
本発明に係る携帯端末は、無線通信網に接続する通信手段と、通信手段による着信の通知を行う着信通知手段と、着信通知手段による通知の際にこの通知の優先度を判断するための通知判断情報を記憶する記憶手段と、記憶手段に記憶された通知判断情報に基づいて着信通知手段の通知態様を制御する通知制御手段とを備えるものである。
【発明の効果】
【０００９】
本発明によれば、通知制御手段が、記憶手段に記憶する通知判断情報に基づいて通信手段により着信した着信情報の優先度を判断し、着信情報の優先度に応じた着信通知手段で通知をすることにより、重要性や緊急度等、優先度の高い情報を着信した場合には、通常の通知とは異なる通知手段や通知パターンで通知でき、メール本文や通話で確認をする前に容易に着信内容の重要性や緊急度を認識することができる。
【発明を実施するための最良の形態】
【００１０】
以下、本発明に係る携帯電話の各種実施の形態について、図面に基づいて説明する。図１は、本実施の形態における携帯端末１０１の構成を示すブロック図である。本実施の形態の携帯端末１０１は、通信手段としての通信回路１、着信通知手段としての着信通知回路２、記憶手段としての記憶回路３、通知制御手段としての制御回路４、表示回路５、入力回路６から構成されている。
【００１１】
通信回路１は、発信や着信などの通信制御が行われ、外部からのメール着信や音声着信を受けた場合、着信があったことを制御回路４に通知する。
【００１２】
記憶回路３は、着信情報としてメールや電話の着信内容を記憶するユーザデータ記憶部３ａと、通知判断情報としてのキーワード等を記憶するキーワード記憶部３ｂを備える。メールの着信情報としては、例えば、発信者のアドレス、発信者名、タイトル、メール本文等である。また、電話の着信情報としては、例えば、発信者の電話番号、発信者名等である。
【００１３】
図２は、キーワード記憶部３ｂに記憶されるキーワードの一例を示すデータテーブルである。キーワードは、種別、重要度、緊急度、その他の属性情報等が関連付けされ、重要度と緊急度の合計数値を優先度とし、優先度の大きい順を優先順位として記憶されている。合計数値が同じキーワードの優先順位については、ユーザの任意により予め決定される。
【００１４】
図２の例では、キーワードとして「震度５」、「地震」、「東京」という情報が優先順位の１番から３番に設定されており、これらはメールの内容との一致検索に使用される。同様に４番には「090xxxxxxxx」というキーワードがあり、電話の着信時の一致検索用に使用される。
【００１５】
制御回路４は、ユーザデータ記憶部３ａにメールや電話の着信内容を着信情報として記憶させる。制御回路４は、例えばメールの着信の場合、ユーザデータ記憶部３ａに記憶させた発信者のアドレス、発信者名、タイトル、メール本文等、またはこれらの組み合わせにおいて、これらの文言内に、キーワード記憶部３ｂに記憶されているキーワードと、一致する文言があるかどうか検索を行う。また、電話の着信の場合は、ユーザデータ記憶部３ａに記憶させた着信情報としての発信者の電話番号、発信者名等をキーワードに同様の検索を行う。一致させるキーワードの数は、１つでもよいが、２つ以上であるとより重要性や緊急度を精度よく判断できる。
【００１６】
メール中の文言がキーワード記憶部３ｂに記憶されているキーワードと一致しない場合には、制御回路４は、記憶回路３のユーザデータ記憶部３ａに保存されている通常の着信画像や情報を表示回路５に表示させると共に、着信通知回路２を通常の着信として動作させる。
【００１７】
メール中の文言がキーワード記憶部３ｂに記憶されているキーワードと一致する場合には、制御回路４は、優先順位の高い着信であることを通知するため、記憶回路３のユーザデータ記憶部３ａに保存されている優先順位の高さを認識しやすい着信画像を表示回路５に表示させると共に、着信通知回路２を前記通常の着信動作と異なる動作で制御する。
【００１８】
着信通知回路２は、イルミネーション回路２ａと音声回路２ｂで構成されている。イルミネーション回路２ａは、通常時とキーワード一致時で異なるパターン、異なる色、輝度などでユーザに差異がわかるように動作する。同様に音声回路２ｂは異なる着信音で動作する。これらの着信通知回路２は、キーワードの優先順位の違いによっても同様にユーザに差異がわかるパターンで動作させることができる。
【００１９】
なお、着信通知回路２はこれらに限るものではなく、ＬＣＤ（Ｌｉｑｕｉｄ  Ｃｒｙｓｔａｌ  Ｄｉｓｐｌａｙ）等に表示させるディスプレイ回路、その他のメロディ等による通知回路、バイブレータ等の振動を発生させる回路などで構成でき、これら単独、あるいは複数の機能を備えたものであってもよい。
【００２０】
入力回路６は、ユーザの操作によりキーワード記憶部３ｂの通知判断情報および着信通知回路２の動作内容を設定する。入力回路６は、携帯端末の入力キーや、外部端子によって接続されたＰＣ（Ｐｅｒｓｏｎａｌ  Ｃｏｍｐｕｔｅｒ）等の入力キーにより操作される。
【００２１】
次に、図３のフローチャートに従い、本実施の形態における携帯端末１０１が２つのキーワードを検索する場合の動作について説明する。まず、携帯端末１０１の制御回路４は、通信回路１から着信の通知を受けると、メール又は電話の着信情報をユーザデータ記憶部３ａに記憶させる（Ｓｔｅｐ１）。
【００２２】
続いて、制御回路４は、ユーザデータ記憶部３ａに記憶した着信情報から、キーワード記憶部３ｂに記憶する通知判断情報としてのキーワードを検索し（Ｓｔｅｐ２）、一致するキーワードがあるか否かを判定する（Ｓｔｅｐ３）。
【００２３】
Ｓｔｅｐ３で着信情報にすべてのキーワードが一致しない場合は、制御回路４は、通信回路１からの着信が優先順位の低いものと判断し、着信時の携帯端末１０１の動作状態に応じて、通常の着信通知モードによる動作設定を行い、着信通知回路２によりイルミネーション回路２ａ、又は音声回路２ｂを通してユーザに通知する（Ｓｔｅｐ４）。
【００２４】
Ｓｔｅｐ３で着信情報に一致するキーワードがある場合（このキーワードをキーワード１とする）、さらに一致するキーワードがあるか否かを判定する（Ｓｔｅｐ５）。
【００２５】
Ｓｔｅｐ５で着信情報にキーワード１以外に一致するキーワードがない場合は、制御回路４は、通信回路１からの着信の優先順位を、キーワード記憶部３ｂに記憶する通知判断情報から、キーワード１に対応する優先順位により決定する（Ｓｔｅｐ６）。
【００２６】
Ｓｔｅｐ５で着信情報にキーワード１以外に一致するキーワードがある場合（このキーワードをキーワード２とする）は、通信回路１からの着信の優先順位を、キーワード記憶部３ｂに記憶する通知判断情報から、キーワード１及びキーワード２それぞれの優先順位から高い方のキーワードの優先順位により決定する（Ｓｔｅｐ７）。
【００２７】
次いで、制御回路４は、携帯端末１０１が現在どのような通知モードでどのような動作状態にあるかを特定する（Ｓｔｅｐ８）。例えば、通知モードとしては、通話モード、マナーモード、ドライブモード、ユーザ設定モード等があり、動作状態としては、待ち受け状態、通話状態、その他動作状態等がある。携帯端末１０１では、通常、これらの通知モードと動作状態の組み合わせに対応した着信通知動作が設定されており、制御回路４は、それらの状態の中から一つの状態を特定し、対応する着信通知動作を認識する。
【００２８】
Ｓｔｅｐ８で現在の携帯端末１０１の状態が特定されると、制御回路４は、キーワードの優先順位等に基づいて、携帯端末１０１の通知モード/動作状態に応じた着信通知モードによる動作設定を行い、着信通知回路２によりイルミネーション回路２ａ、又は音声回路２ｂを通してユーザに通知する（Ｓｔｅｐ９）。また、優先順位にかかわらず、キーワードの属性情報に従って動作設定を行い、ユーザに通知することもできる。
【００２９】
従来の携帯端末では、マナーモードやドライブモードなどの端末に最初にユーザが設定しているモードのみにより、着信通知動作を判定していたが、本発明では、Ｓｔｅｐ８とＳｔｅｐ９の動作のように、更に端末がどのような動作状況であるかと、キーワード検索による優先順位を組合せて、それぞれの組合せによって別の着信動作を設定することが可能であるため、より最適な着信通知動作が可能となる。
【００３０】
例えば、メールの着信は夜中等いつ受信されるか不明のため、夜間睡眠中の着信を想定して音声やメロディによる通知はＯＦＦとして設定しておき、画面表示やバイブレータの通知のみをユーザが選択している場合がある。従来の端末ではこの設定はユーザが初期設定として別の設定にしない限りは変更できない。
【００３１】
しかしながら、本発明では動作状態を検出して判断するため、初期設定が前述のようになっていても、端末が待受け状態の場合は睡眠中の可能性があるので設定通り音声やメロディによる通知はＯＦＦ、通話状態や操作中である場合はユーザが起きていると判断し音声やメロディによる通知もＯＮとする制御を行うことができる。更にこの動作に、一定の重要度を超えたメールのみ音による通知を行うかどうかの判断を加えることでより柔軟な対応が可能となる。
【００３２】
同様な例として、図４は、Ｓｔｅｐ９において、携帯端末１０１がマナーモードやドライブモード等の通常は音による着信通知を行わない通知モードに動作設定されている場合に、制御回路４が、キーワードの優先順位、又は属性情報に基づいて、音による着信通知モードの動作設定を行う場合のフローチャートを示したものである。まず、制御回路４は、一致したキーワードの属性情報に「音による通知常時ＯＦＦ」があるか否かを判定する（Ｓｔｅｐ９ａ）。
【００３３】
まず、制御回路４は、一致したキーワードの属性情報に「音による通知常時ＯＦＦ」があるか否かを判定する（Ｓｔｅｐ９ａ）。Ｓｔｅｐ９ａで「ＹＥＳ」の場合、制御回路４は、音による通知なしの着信通知モードで動作設定を行い（Ｓｔｅｐ９ｂ）、着信通知回路２によりイルミネーション回路２ａを通してユーザに通知する。
【００３４】
Ｓｔｅｐ９ａで「ＮＯ」の場合、制御回路４は、一致したキーワードの属性情報に「音による通知常時ＯＮ」があるか否かを判定する（Ｓｔｅｐ９ｃ）。Ｓｔｅｐ９ｃで「ＮＯ」の場合、制御回路４は、キーワードにより決定された優先順位が所定順位以上か否かを更に判定する（Ｓｔｅｐ９ｅ）。
【００３５】
Ｓｔｅｐ９ｅで「ＮＯ」の場合、制御回路４は、音による通知なしの着信通知モードで動作設定を行い（Ｓｔｅｐ９ｂ）、着信通知回路２によりイルミネーション回路２ａを通して、異なるパターン、異なる色、輝度などでユーザに差異がわかるように通知する。
【００３６】
Ｓｔｅｐ９ｃ又はＳｔｅｐ９ｅで「ＹＥＳ」の場合、制御回路４は、着信が重要度及び緊急度の高いものと判断し、音による通知ありの着信通知モードで動作設定を行い（Ｓｔｅｐ９ｄ）、着信通知回路２により音声回路２ｂ単独、又は音声回路２ｂとイルミネーション回路２ａを通してユーザに通知する。この場合、ユーザがイルミネーションや画面表示を見ることができない状況であっても、通知の認知性が高くなることで、ユーザは迅速に対応することができる。
【００３７】
図５は、本実施の形態における携帯端末１０１のイルミネーション及び画面表示での通知状態を示す図である。図５では、スライド型または折り畳み型の携帯電話などで、上部筐体３０に、ＬＣＤ等のディスプレイで実現される表示回路５、通話時のレシーバーと兼用される着信通知用の音声回路２ｂを備える。
【００３８】
下部筐体側３１には入力キー６０を備えており、このキーは携帯端末１０１の通常の入力キー及び着信用のキーワードなどをユーザがカスタマイズするための入力回路として動作するとともに、キーバックライトなどでイルミネーション回路２ａとしても動作する。入力キー６０が個別に光るか色を変化させることにより多くの情報をイルミネーションにより表現できるとともに、入力回路６と兼用されているため個別にイルミネーションを備えるより省スペース化とコストダウンが可能となる。
【００３９】
例えば、タイトルに「地震」、本文中に「震度５」のキーワードを含むメールが着信すると、図５の表示回路５のような表示を行うとともに、“震度５”というキーワードが常に音による通知ＯＮの属性をもつため、音声回路２ｂから既定の音による通知が行われる。イルミネーション回路２ａの表示は、たとえば優先順位に対応するテンキーが光るルールとして入力キー６０の一つである「１」のキーを光らせるか色を変化させることにより、表示回路５を見なくとも優先順位の確認が可能となる。
【００４０】
また、図６は、本実施の形態における別の通知状態を示す図である。図６において、
本実施の形態における携帯端末１０２は、基本的に図５と同じ構成であるが、携帯端末１０１の入力回路６およびイルミネーション回路２ａに相当する入力キー６０の部分が、携帯端末１０２のキー表示とレイアウトが変更可能な入力キー６１、２ａとして構成される。キーの表示とレイアウトを変更する機能は、タッチパネルとして動作するＬＣＤ等により実現される。
【００４１】
図６の入力キー６１は、通常時には図５と同様に標準のテンキーを表示し、その機能に対応したものとして動作するが、着信通知動作時、及び着信動作を設定するための入力時には、キーワード、重要度、優先度等に個別に対応したキー機能と表示に変更される。この、変更動作により、キーワード入力などの設定操作をより簡単にするとともに、着信時の情報表示がより見やすく、より多くの情報が表示できるようになる。
【００４２】
例えば、タイトルに「地震」、本文中に「震度５」のキーワードを含むメールが着信すると、テンキーがキーワード、優先順位、重要度、緊急度の表示に対応したものに変更され、一致した２つのキーワードを示すキーの光らせる色を変更し、優先順位、重要度、優先度の数値を表示する。入力キー６１、２ａに一致キーワード、重要度、優先度の情報が詳細表示されているため、表示回路５にはこれらの情報を表示する必要がなくなり、別情報を表示したりすることが可能となる。
【００４３】
以上のように、本実施の形態では、制御回路４が、キーワード記憶部３ｂに記憶する通知判断情報に基づいて通信回路１により着信した着信情報の優先順位を判断し、着信情報の優先順位に応じて着信通知回路２で通知をするようにしたので、重要性や緊急度等、優先順位の高い情報を着信した場合には、通常の通知とは異なる通知手段や通知パターンで通知でき、メール本文や通話で確認をする前に容易に着信内容の重要性や緊急度を認識することができる。
【００４４】
また、マナーモード設定時など、通常は音による通知を行わない状態においても、重要度や緊急度の高い所定の着信情報を含むメールや電話については、音による通知等、通常のマナーモード設定時と異なる通知手段で通知を確実に行うことができるだけでなく、周囲にも重要性や緊急度を認識させ打ち合わせ中や電車内など携帯端末の操作を行いにくい状況においても迅速に対応することができる。
【００４５】
また、イルミネーション回路２ａによる通知機能を入力キー６０、６１に設け、入力キー６０、６１が個別に光るか表示を変化させるるようにしたので、多くの情報をイルミネーションにより表現できるとともに、入力回路と兼用されているため個別にイルミネーションを備えるより省スペース化とコストダウンが可能となる。
【００４６】
なお、本実施の形態では、優先順位の高い着信の着信通知回路２として音声回路２ｂによる音による通知をする場合について示したが、これに限るものではない。例えば、バイブレータ等の振動を発生させる回路でもよく、音声回路２ｂと組み合わせたものでもよい。この場合も、本実施の形態と同様の効果を得ることができる。
【００４７】
また、本実施の形態では、２つのキーワードを個別に判定する場合の例を示したが、キーワードが１個のみ、あるいは、３個以上の複数のキーワードを対象にする場合でも同様の手法にて通知動作が決定できる。キーワードの一致判定は、キーワード１個ごとの判定ではなく、複数のキーワードが全て一致した場合を一致とみなす判定動作でもよい。
【００４８】
また、本実施の形態では、Ｓｔｅｐ７までのキーワード一致判定による動作決定ステップと動作モード/動作状態による動作決定ステップの２段階で設定する場合を示したが、後者の動作モード/動作状態による設定ステップを最初に実施してもよい。また、動作モード/動作状態による設定ステップは省略可能である。
【図面の簡単な説明】
【００４９】
【図１】本発明に係る携帯端末の実施の形態の構成を示すブロック図である。
【図２】本発明に係る携帯端末の実施の形態の通知判断情報の一例を示す。
【図３】本発明に係る携帯端末の実施の形態の動作手順を示すフローチャート図である。
【図４】本発明に係る携帯端末の実施の形態の動作手順を示すフローチャート図である。
【図５】本発明に係る携帯端末の実施の形態の通知状態を示す図である。
【図６】本発明に係る携帯端末の実施の形態の通知状態を示す図である。
【図７】従来の携帯端末の構成を示すブロック図である。
【符号の説明】
【００５０】
１  通信回路
２  着信通知回路
２ａ  イルミネーション回路
２ｂ  音声回路
３  記憶回路
３ａ  ユーザデータ記憶部
３ｂ  キーワード記憶部
４  制御回路
５  表示回路
６  入力回路
３０  上部筐体
３１  下部筐体
６０、６１  入力キー
１０１、１０２  携帯端末
【図１】
2008227816.tif 000003
【図２】
2008227816.tif 000004
【図３】
2008227816.tif 000005
【図４】
2008227816.tif 000006
【図５】
2008227816.tif 000007
【図６】
2008227816.tif 000008
【図７】
2008227816.tif 000009